(57)【要約】【課題】  電池を容易に取り出せるようにする。【解決手段】  操作つまみ２８にボタン電池２２を収容する空間を設け、表示パネル２０を蓋として使用する。表示パネル２０の側面には、操作つまみ２８と嵌合する３つの爪部２０ｃ，２０ｄと、マイナスドライバの先端が入る切り欠きを設け、表示パネル２０を容易に操作つまみ２８から取り外せるようにする。【選択図】  図２
2007298846.tif 000002
【特許請求の範囲】
【請求項１】
回転操作部に電池を収容可能な空間を設け、前記回転操作部の表示パネルを前記空間の蓋として取り外し可能としたことを特徴とする電子機器。
【請求項２】
前記電池はボタン電池であることを特徴とする請求項１に記載の電子機器。
【請求項３】
前記電池は、充電・放電可能な二次電池であることを特徴とする請求項１又は２に記載の電子機器。
【請求項４】
前記回転操作部は、ダイヤルスイッチであることを特徴とする請求項１に記載の電子機器。
【請求項５】
前記表示パネルが、前記表示パネルの取り外しのための工具と係合する切り欠き、スリット、凹部又は凸部を具備することを特徴とする請求項１に記載の電子機器。
【請求項６】
当該電子機器がビデオカメラであることを特徴とする電子機器。
【発明の詳細な説明】
【技術分野】
【０００１】
本発明は、電池を容易に取り出せる電子機器に関する。
【背景技術】
【０００２】
従来、ビデオカメラ等の電子機器は、環境への配慮から、廃棄時の分別及びリサイクルが行われている。特に、ビデオカメラには、データバックアップ用二次電池等が設けられており、廃棄時の分別及びリサイクルが必要とされている。
【０００３】
図７乃至図９を参照して、従来のビデオカメラにおける二次電池収納の様子を説明する。ビデオカメラ１００は、バッテリ収納部１０２、電池蓋１０４、二次電池収納部１０８、二次電池１１０及びフレキシブルケーブル１１２を具備している。二次電池５はバッテリ収納部２の奥に収納されているので、ドライバ１０６で電池蓋１０４の止めネジを外し（図７）、二次電池収納部１０８から二次電池１１０及びフレキシブルケーブル１１２を取り出す（図８，図９）。そして、ペンチ等の工具を使用して、フレキシブルケール１１２から二次電池１１０を切り離し、二次電池１１０をリサイクルする。
【０００４】
取り出しの容易な二次電池の収納構造が、特許文献１に記載されている。
【特許文献１】特開平０９−１６３１９９号公報
【発明の開示】
【発明が解決しようとする課題】
【０００５】
しかし、従来のビデオカメラでは、専用の電池蓋を設けているので、電池廃棄時において、二次電池の取り出しに時間がかかり、面倒な作業が必要であった。
【０００６】
また、従来のビデオカメラでは、二次電池のスペースと、ダイヤルスイッチのスペースを別々に設けていたため、その分のスペースが必要となり、小型化の障害となっていた。
【０００７】
そこで、本発明は、上記の問題点に鑑み、電池廃棄時に、より簡単に電池を取り出せる電子機器を提示することを目的とする。
【０００８】
本発明はまた、機器全体をより小型化にする電子機器を提示することを目的とする。
【課題を解決するための手段】
【０００９】
上記の目的を達成するために、本発明に係る電子機器は、廃棄時に分離する必要のある電池を具備する電子機器であって、当該電池の外部からの取り出しを許容する開口を当該電子機器の回転操作部に設けることを特徴とする。
【発明の効果】
【００１０】
本発明によれば、表示パネルにスリット形状を設けたので、工具等の尖端が押し込めれば、ダイヤルつまみから表示パネルを取り外すことができ、簡単に二次電池を交換することができる。
【００１１】
また、表示パネルが電池蓋の代わりになるので、専用に電池蓋を設ける必要がなく、機器全体をより小型化にすることができる。
【発明を実施するための最良の形態】
【００１２】
以下、図面を参照して、本発明の実施例を詳細に説明する。
【実施例１】
【００１３】
図１乃至図６を用いて、本発明の一実施例の構成を説明する。図１は本発明の一実施例に係るビデオカメラの外観図であり、図２はダイヤルスイッチの構造を示す分解斜視図である。図３はボタン電池を収納した状態での、ダイヤルスイッチの正面図（ａ）、垂直方向断面図（ｂ）及び水平方向断面図（ｃ）を示す。
【００１４】
ビデオカメラ１０は、外部筐体であるケース１２及びモード切替のダイヤルスイッチ１４を具備する。
【００１５】
ダイヤルスイッチ１４は、図２に示すように、表示パネル２０、ボタン電池２２、プラス端子２４、マイナス端子２６、ダイヤルつまみ２８、クリック板３０、クリックバネ３２、回転ベース３４、摺動ブラシ（＋側）３６、摺動ブラシ（−側）３８、基板４０、回路パターン（＋側）４２、回路パターン（グランド側）４４及び回路パターン（モード）４６を具備する。
【００１６】
表示パネル２０の表面には、各種モードを示す表示が印刷されている。具体的に、絞り優先ＡＥモード（Ａｖ）、シャッタスピード優先ＡＥモード（Ｔｖ）、プログラムＡＥモード（Ｐ）、オートモード（ＡＵＴＯ）、ポートレートモード、風景モード、スポーツモード、スローシャッタモード、ナイトモード及びスペシャルシーンモード（ＳＣＮ）のそれぞれを示す文字又は記号等が印刷されている。
【００１７】
また、表示パネル２０は、図４に示すように、その側面に切り欠き２０ａと、３つの爪部２０ｂ，２０ｃ，２０ｄも具備する。切り欠き２０ａは、マイナスドライバの先端を挿入可能な程度のサイズであり、スリット形状であってもよい。図４は、表示パネル２０を斜め下方向から見た様子を示す。
【００１８】
ボタン電池２２は充電・放電可能な二次電池（ニカド電池、ニッケル水素電池又はリチウムイオン電池等）であり、円形状を有している。また、ボタン電池２２は、ダイヤルつまみ２８の内部に収納でき、表示パネル２０がその蓋になるようになっている。
【００１９】
ボタン電池２２を収納した状態で、プラス端子２４はボタン電池２２のプラス極側と接続でき、マイナス端子２６はボタン電池２２のマイナス極側と接続する。また、プラス端子２４は内部で摺動ブラシ（＋側）３６と接続し、マイナス端子２６は内部で摺動ブラシ端子（−側）３８と接続する。
【００２０】
ダイヤルつまみ２８は、ボタン電池２２を収容可能な凹みを具備し、その周面にプラス端子２４を固定され、底面にマイナス端子２６が固定されている。この構造自体は、ボタン電池を収容する既存の構造と同じである。
【００２１】
また、ダイヤルつまみ２８の下方には、複数の溝を有するクリック板３０が固定されており、クリックバネ３２が、クリック板３０（そしてダイヤルつまみ２８）を上方に付勢している。ダイヤルスイッチ１４が回転動作することで、クリック板３０にある溝とクリックバネ３２が嵌合し、モードごとの決まった角度位置にダイヤルスイッチ１４が静止するようになっている。回転ベース３４は、ダイヤルつまみ２８の台座であり、摺動ブラシ（＋側）３６及び摺動ブラシ（−側）３８画回転ベース３４の下面に固定されている。
【００２２】
摺動ブラシ（＋側）３６の先端は、回路パターン（モード）４６に接触し、摺動ブラシ（−側）３８の先端は回路パターン（グランド側）４４に接触する。この構造により、ユーザがダイヤルスイッチ１４を回転操作すると、回転ベース３４、摺動ブラシ（＋側）３６及び摺動ブラシ（−側）３８が、ダイヤルスイッチ１４に連動して回転する。回転の際に、摺動ブラシ（＋側）３６の回路パターン（モード）４６との接続位置が替わり、その接続位置を示す信号がマイクロコンピュータ（不図示）に伝送され、ダイヤルスイッチ１４の操作、即ち、選択されたモードが、マイクロコンピュータに通知される。
【００２３】
基板４０はプリント基板、フレキシブル基板又はユニバーサル基板等である。
【００２４】
図４乃至図６を参照して、ボタン電池２２の取り出し方を説明する。図５はダイヤルスイッチ１４の拡大図であり、図６は表示パネル２０が外された状態を示す図である。
【００２５】
表示パネル２０は、図４に示すように、その側面に、切り欠き２０ａと３つの爪部２０ｂ，２０ｃ，２０ｄを具備する。切り欠き２０ａにはマイナスドライバの先端を挿入可能である。爪部２０ａ，２０ｂ，２０ｃは、ダイヤルつまみ２８の溝と嵌合し、これにより、表示パネル２０は、ダイヤルつまみ２８に固定され、ダイヤルつまみ２８内に収納されたボタン電池２２の蓋として機能する。
【００２６】
ボタン電池２２の収納状態で、ダイヤルつまみ２８と表示パネル２０の間には、図５に示すように、切り欠き２０ａにマイナスドライバを挿入できる程度の隙間を設けてある。ボタン電池２２を取り出す際には、切り欠き２０ａにマイナスドライバの先端を差し込み、表示パネル２０を押し上げる。これにより、爪部２０ｂ，２０ｃ，２０ｄがダイヤルつまみ２８の溝から外れ、図６に示すように、ボタン電池２２が露出する。これにより、ボタン電池２２を簡単に取り外すことができる。
【００２７】
このように、本実施例では、ダイヤルつまみ２８内にボタン電池２２を収容して、表示パネル２０を蓋代わりに利用し、手近な工具で表示パネル２０を取り外せるようにする切り欠き２０ａ又はスリットを表示パネル２０に設けたので、ボタン電池２２を簡単に取り外し又は交換することができる。
【００２８】
したがって、本実施例のビデオカメラを適用することで、生産、製造、再生産、再製造、分解又は廃棄する際には、簡単にボタン電池２２を交換でき、作業効率を上げることができる。
【００２９】
また、表示パネル２０が電池蓋の代わりになるので、専用に電池蓋を設ける必要がなく、装置の小型化がすることができる。
【００３０】
さらに、切り欠き２０ａに工具の先端を差し込むので、切り欠き２０ａが変形することが考えられるが、新しい表示パネル２０に取り替えれば済むので、問題はない。
【００３１】
なお、本実施例では、ボタン電池２２が充電・放電可能な二次電池であると説明したが、マンガン電池、アルカリ電池、酸化銀電池又はリチウム電池等の一次電池を用いてもよい。
【００３２】
また、切り欠き２０ａにマイナスドライバの先端を差し込むと説明したが、マイナスドライバ等の工具が切り欠き２０ａに引っかかれば、表示パネル２０を取り外すことができるので、切り欠き２０ａの代わりに凹形状にしてもよいし、また、逆に凸形状（突起形状）にしてもよい。
【００３３】
また、ボタン電池２２の電気接続手段として摺動ブラシを使用したが、電線又はフレキシブル配線板を使用しても良い。
【００３４】
また、ボタン電池２２がダイヤルつまみ２８と同時に回転する構造で説明したが、ダイヤルつまみ２８を軸受け部（電池ホルダ部）と操作部に分離する構造でもよい。
【００３５】
また、ビデオカメラを例にして説明したが、本実施例で説明した構造を用いて二次電池を使用する電子機器であれば何でもよい。
【図面の簡単な説明】
【００３６】
【図１】本発明の一実施例に係るビデオカメラの外観図である。
【図２】ダイヤルスイッチの構造を示す分解斜視図である。
【図３】ボタン電池２２の収納状態を示す図である。
【図４】表示パネル２０を斜め下から見た斜視図である。
【図５】ダイヤルスイッチ１４の一部を示す図である。
【図６】表示パネル２０が外された状態を示す図である。
【図７】従来例の、電池蓋の取り外し動作を示す図である。
【図８】従来例の電池蓋が取り外された状態を示す図である。
【図９】従来例のボタン電池の周辺を示す図である。
【符号の説明】
【００３７】
１０  ビデオカメラ
１２  ケース
１４  ダイヤルスイッチ
２０  表示パネル
２０ａ  切り欠き
２０ｂ  爪
２０ｃ  爪
２０ｄ  爪
２２  ボタン電池
２４  プラス側端子
２６  マイナス側端子
２８  ダイヤルつまみ
３０  クリック板
３２  クリックバネ
３４  回転ベース
３６  摺動ブラシ（＋側）
３８  摺動ブラシ（−側）
４０  基板
４２  回路パターン（＋側）
４４  回路パターン（グランド側）
４６  回路パターン（モード）
【図１】
2007298846.tif 000003
【図２】
2007298846.tif 000004
【図３】
2007298846.tif 000005
【図４】
2007298846.tif 000006
【図５】
2007298846.tif 000007
【図６】
2007298846.tif 000008
【図７】
2007298846.tif 000009
【図８】
2007298846.tif 000010
【図９】
2007298846.tif 000011